(57)【要約】　　　（修正有）【課題】干し芋を作る時スライスする道具のピアノ線が段々と伸びて使いにくい、それを解決する為上部の木枠をネジを切ったボルト又はネジ棒に変えて，可動式にして簡単に糸張りができるようにした。【解決手段】片方の側板は表裏２個のナットＤで締め付ける、もう一方の側板の内側には蝶ネジＣを外側に向けて、やや底板より短めに巻いておくピアノ線Ｈを固定した物に一端を結び張りながら糸を張り最後の真鋳釘Ｆまで張り終えたら絡めてよく止める。使用する時蝶ネジを外側に巻くことで糸張りが簡単にできる。【選択図】図１
0003100376.tif 000002
【実用新案登録請求の範囲】
【請求項１】
一方の側板を可動式にしたことを特徴にした干し芋切り器
【請求項２】
上部ネジ部に蝶ネジ又はナットを用い糸張りが簡単にできることを特徴とする干し芋切り器
【請求項３】
駒板の上下に二方式の線幅を切り込み線幅を変えることの出きる干し芋切り器
【考案の詳細な説明】
【０００１】
今までの切り器はピアノ線が段々と伸びてしまい，線と側板上部に割ばしや，木の棒を挟み使用した、もちろん側板は木枠で釘づけ，糸張りは巻きなおし。　そこで側板を可動式にして使いやすくした。
【０００２】
この考案は干し芋切り器の上部の木枠に変えて両端にネジを切ったボルト又はネジ棒を用い側板内側の蝶ネジ叉はナットを巻くことで糸張りが簡単に出きるようにした。
【０００３】
側板の上部に乗せて駒板の線幅を選び取りつける、一方は１０ｍｍの幅に約１ｍｍの切り込みをいれる、裏側には９ｍｍの幅に同様にする。この二方式の線幅で芋の厚みを必用に応じて使い分けできる。
［考案の属する技術分野］
【０００４】
この考案は干し芋切り器の蝶ネジやナットを用いた糸張り並びに駒板を乗せる形状に関する。
【０００５】
二方式の線幅を上下に切り込みをいれた駒板に関する。
［従来の技術］
【０００６】
従来の切り器は包丁による手切りより、速さ叉は量目などを考慮し作成したものであるが、（図二参照）段々と糸が伸びてしまう弱点があった。
［考案が解決しようとする課題］
しかしながら、以上の従来技術によれば、ピアノ線が段々とゆるみ切れあじも悪く芋が直すぐに切れない。
そこで、この考案は切れ味が良く，糸張りが簡単な干し芋切り器を提供することを課題とする。
［課題を解決する為の手段］
【０００７】
側板を可動するようにして木枠に変えて上部にボルト（叉はネジ棒）を通してネジ部に蝶ネジ（叉はナット）を用い蝶ネジを外側に巻くことで糸張りが簡単にできる様にした物である。
以上の課題を解決する為に，請求項１，２，３、の考案は切れ味，二方式の線幅、糸張りを、簡単にできることが特徴の干し芋切り器である。
［考案の実施の形態］
【０００８】
この考案の実施形態を、図１にしめす
［考案の効果］
【０００９】
この考案は（図１）参照、両方の側板にネジを切ったボルト（叉はネジ棒）を通し蝶ネジを取り付けて簡便な糸張りが、それを巻くことで解決した物である。
また季節に合わせ干し上げの日数を調節する為糸幅を二方式にもでき（干し芋の厚さ）又使用しない時は、蝶ネジをゆるめておくと、ピアノ線の保護にもなる。
以上の方法で糸張りが簡単、使いやすさ、切れ味、ともに優れた物ができました。
【図面の簡単な説明】
【図１】この考案の実施形態を示す斜視図である。
【図２】従来形態をしめす横視図である。
【図３】駒板の詳細を示す横視図である。
【符号の簡単な説明】
Ａ　６パイボルト（両端ネジ）　Ｂ　６パイ座金
Ｃ　６パイ蝶ネジ　　　　　　　Ｄ　６パイナット
Ｅ　駒板　　　　　　　　　　　Ｆ　真鋳釘
Ｇ　ビス　　　　　　　　　　　Ｈ　０，３ｍｍピアノ線
Ｉ　細い木材（木枠）　　　　　Ｊ　釘
【図１】
0003100376.tif 000003
【図２】
0003100376.tif 000004
【図３】
0003100376.tif 000005
【手続補正書】
【提出日】平成15年3月5日(2003.3.5)
【手続補正１】
【補正対象書類名】明細書
【補正対象項目名】図３
【補正方法】変更
【補正の内容】
【図３】
駒板の詳細を示す横視図である、２種類の駒板を用い４通りの線幅より選び１対を側板に乗せて使う。


【手続補正２】
【補正対象書類名】図面
【補正対象項目名】図３
【補正方法】変更
【補正の内容】
【図３】
0003100376.tif 000006
【手続補正書】
【提出日】平成15年4月10日(2003.4.10)
【手続補正２】
【補正対象書類名】明細書
【補正対象項目名】実用新案登録請求の範囲
【補正方法】変更
【補正の内容】
【実用新案登録請求の範囲】
【請求項１】
両方の側板上部の２箇所に、両端にネジを切ったボルト（又はネジ棒）を通し、その一方の側板の内側に蝶ネジ（又はナット）を取り付ける．駒板は上下に１種類で７ｍｍと８ｍｍもう１種は９ｍｍと１０ｍｍの幅で各１対、４通りの溝を切り込みそのなかより１対を選び、側板上部に乗せて使用する．これで芋の厚みを変更し又、蝶ネジを巻く事で糸張りがかんたんに、できることを特徴とする、干し芋切り器。
【手続補正３】
【補正対象書類名】明細書
【補正対象項目名】０００３
【補正方法】変更
【補正の内容】
【０００３】
季節に合わせ干す時間を調節する為、２種類の駒板の上下には７ｍｍと８ｍｍもう１種には９ｍｍと１０ｍｍの幅で、深さ約１ｍｍの切り込みを入れて，ピアノ線を固定させる。４通りのなかから１対を選び側板に乗せてからピアノ線を、釘とこの溝の上を幾重にも張る。これで４通りの線幅で芋の厚さを必要におおじて使い分けできる。


【手続補正４】
【補正対象書類名】明細書
【補正対象項目名】０００５
【補正方法】変更
【補正の内容】
【０００５】
４通りの厚みを必要におおじて変えられる，駒板に関する．


【手続補正５】
【補正対象書類名】明細書
【補正対象項目名】０００７
【補正方法】変更
【補正の内容】
【０００７】
側板の一方固定側は、表裏２個のナットで締め付ける．もう一方は（蝶ネジ側）底板に止めるビスをゆるめに止める、これで木のしなりを利用して蝶ネジを外側に巻く事で簡単に糸張りができる様にした物である。
課題を解決する為に，請求項１の考案は、４通りの厚みの変更及び糸張りを簡単にできる様にした、干し芋切り器である．


【手続補正６】
【補正対象書類名】明細書
【補正対象項目名】０００９
【補正方法】変更
【補正の内容】
【０００９】
この考案は（図１参照）両方の側板にネジを切ったボルト（又はネジ棒）を通し、側板の内側に蝶ネジを取り付けて、簡便な糸張りが、それを巻く事で解決した物である。
また、季節に合わせ干し上げの日数を調節する為、糸幅を４通りにもできる（芋の厚さ）又使用しないときは、蝶ネジを緩めておくとピアノ線の保護にもなる。　以上の方法で糸張りが簡単、使いやすさ、切れ味、ともに優れた物が出来ました。　名前を［糸張りかんたん君］と名ずけました。




【手続補正書】
【提出日】平成15年8月20日(2003.8.20)
【手続補正１】
【補正対象書類名】明細書
【補正対象項目名】実用新案登録請求の範囲
【補正方法】変更
【補正の内容】
【実用新案登録請求の範囲】
【請求項１】
干し芋を作る道具を使い易く改良する為、次の考案をしました。
（１）横枠に両端にネジを切ったボルト又は、ネジ棒を使い側板の内側に、蝶ネジを外に向けネジ込んでおく、もう片方の側板は表裏ナットで締め付ける。これで使用する時，蝶ネジを外側に巻くことで簡単にピアノ線をピンと張る事ができる。
（２）芋の厚みを変える為、駒板の上辺と下辺に深さ１ｍｍの溝を切る７ｍｍ，８ｍｍともう１種９ｍｍ，１０ｍｍ各１対を用いる、
（３）内側に蝶ネジを付けた側板を底板に取り付ける時に、ビスを少しゆるめに締める、これにより１０ｍｍ〜２０ｍｍ可働にする．これはピアノ線を張る時に重要です。
ピアノ線を取り付ける時は、駒板の溝幅を選び側板の、上部にのせて端の真鋳釘から順に、駒板の溝を通り溝の数だけ往復し最後に釘にからめ止める、これで駒板は、ピアノ線の張力で落ちない。
以上の構成から成る干し芋切り器。
【手続補正３】
【補正対象書類名】明細書
【補正対象項目名】図面の簡単な説明
【補正方法】変更
【補正の内容】
【図面の簡単な説明】
【図１】この考案の実施形態を示す斜視図である、図には示してないが、端の真鋳釘より駒板の溝を通し、順にすべての溝を往復しピアノ線を張る。
【図２】従来形態を示す横視図である。
ピアノ線が伸びて木片をはさみ、使用している時を表す。


【手続補正４】
【補正対象書類名】明細書
【補正対象項目名】図面の簡単な説明
【補正方法】追加
【補正の内容】
【図面の簡単な説明】
【図４】固定側の側板
側板下部を底板にビスでしっかりと締め付ける、ピアノ線を張った状態を表す。


【手続補正５】
【補正対象書類名】図面
【補正対象項目名】図４
【補正方法】追加
【補正の内容】
【図４】
0003100376.tif 000007
【手続補正書】
【提出日】平成15年10月23日(2003.10.23)
【手続補正３】
【補正対象書類名】明細書
【補正対象項目名】図面の簡単な説明
【補正方法】変更
【補正の内容】
【図面の簡単な説明】
【図１】この考案の実施形態を示す斜視図である、図には示して無いが、端の真鋳釘より駒板の溝を通し順にすべての溝を往復しピアノ線を張る
【図２】従来形態を示す横視図である。
ピアノ線が伸びて木片をはさみ、使用している時を表す。
【図３】駒板の詳細を示す横視図である。２種類の駒板を用い４通りの線幅より選び１対を側板の上に乗せて使う。
【図４】固定側の側板
側板下部を底板にビスでしっかりと締め付ける、ピアノ線を張った状態を表す．
【符号の説明】
Ａ　６パイボルト　（両端ネジ）　　Ｂ　６パイ座金
Ｃ　６パイ蝶ネジ　　Ｄ　６パイナット　　Ｅ　駒板
Ｆ　真鋳釘　　Ｇ　ビス　　Ｈ　０，３ｍｍピアノ線
Ｉ　細い木材（木枠）　　Ｊ　釘